(57)【要約】【課題】従来のツマミを操作して使える加熱調理装置のコントロールパネルはギアを多用しているためツマミの操作力が大きく、高齢者などの弱い力ではうまく操作できない課題があり、ギア間にゴミが入ることや、ギアの摩耗によって加熱調理装置の制御ができなくなることがあった。【解決手段】加熱調理装置の操作ツマミ２や３を操作するとシート状操作スイッチ部８やタッチパネル方式の操作スイッチ部１０や板状印刷基板に配設したスイッチ手段１２などから入力信号をマイコンに送る構成にすることによって、操作ツマミを設定するだけで使える簡単操作の加熱調理装置でありながら操作ツマミの操作力を軽減し、ギア間にゴミが入ることや、ギアの摩耗によって加熱調理装置の制御ができなくなることを防止し、使用上の便宜を図ることができる。【選択図】  図１
2004278922.tif 000002
【特許請求の範囲】
【請求項１】
調理モードや加熱条件を選択操作する操作ツマミと、前記操作ツマミを配設するパネル本体と、前記パネル本体に配設した電極印刷をしたシート状操作スイッチ部と、前記シート状の操作スイッチ部前面に配置した化粧シートと、前記シート状操作スイッチ部で入力されたキーの信号に応じて所定の出力信号に変換するマイクロコンピュータ（以下、マイコンと言う）を備え、前記操作ツマミに凸部を設け、その凸部によってシート状操作スイッチ部のキーが入力され、選択した操作が前記マイコンにより出力されることを特徴とする加熱調理装置。
【請求項２】
操作ツマミの凸部は、シート状操作スイッチ部のキーに対向する位置に擬半球状のダボを形成したことを特徴とする請求項１に記載の加熱調理装置。
【請求項３】
操作ツマミの凸部として回転自在のボールを備え、前記ボールはシート状操作スイッチ部のキーに対向する位置に配置したことを特徴とする請求項１に記載の加熱調理装置。
【請求項４】
操作ツマミの凸部に弾性変形部位を設け、弾性力により前記擬半球状のダボや前記ボールをシート状操作スイッチ部のキーに押し当てることを特徴とする請求項２または３に記載の加熱調理装置。
【請求項５】
調理モードや加熱条件を選択操作する操作ツマミと、前記操作ツマミを配設するパネル本体と、前記パネル本体に配設したタッチパネル方式の操作スイッチ部と、前記タッチパネル方式の操作スイッチ部前面に配置した化粧シートと、前記タッチパネル方式の操作スイッチ部で入力されたキーの信号に応じて所定の出力信号に変換するマイコンを備え、前記操作ツマミに凸部を設け、その凸部によってタッチパネル方式の操作スイッチ部のキーが入力され、選択した操作が前記マイコンにより出力されることを特徴とする加熱調理装置。
【請求項６】
操作ツマミの凸部は、タッチパネル方式の操作スイッチ部に対向する位置に擬半球状のダボを形成したことを特徴とする請求項５に記載の加熱調理装置。
【請求項７】
操作ツマミの凸部として回転自在のボールを備え、前記ボールはタッチパネル方式の操作スイッチ部に対向する位置に配置したことを特徴とする請求項５に記載の加熱調理装置。
【請求項８】
操作ツマミの凸部に弾性変形部位を設け、弾性力により前記擬半球状のダボや前記ボールをタッチパネル方式の操作スイッチ部に押し当てることを特徴とする請求項６または７に記載の加熱調理装置。
【請求項９】
板状の印刷基板に配設したスイッチ手段と、前記スイッチ手段に対向する位置にラーメン構造を備えたパネル本体と、パネル本体に配設した調理モードや加熱条件を選択操作する操作ツマミと、前記パネル本体前面に配置した化粧シートと、前記スイッチ手段で入力されたキーの信号に応じて所定の出力信号に変換するマイコンを備え、前記操作ツマミに凸部を設け、その凸部によって前記パネル本体のラーメン構造を経由してスイッチ手段が押され、そのキー信号が入力され、選択した操作が前記マイコンにより出力されることを特徴とする加熱調理装置。
【請求項１０】
操作ツマミの凸部は、スイッチ手段の接点に対向する位置に擬半球状のダボを形成したことを特徴とする請求項９に記載の加熱調理装置。
【請求項１１】
操作ツマミの凸部として回転自在のボールを備え、前記ボールはスイッチ手段の接点に対向する位置に配置したことを特徴とする請求項９に記載の加熱調理装置。
【請求項１２】
操作ツマミの凸部に弾性変形部位を設け、弾性力により前記擬半球状のダボや前記ボールでスイッチ手段の接点を押し易くすることを特徴とする請求項１０または１１に記載の加熱調理装置。
【請求項１３】
化粧シートに表示した機能や動作に操作ツマミが合うように前記パネル本体の裏面に操作ツマミを誘導する溝を設け、操作ツマミを操作するときにクリック感をつけたことを特徴とする請求項１〜１２のいずれか１項に記載の加熱調理装置。
【請求項１４】
シート状操作スイッチ部の複数のキーやタッチパネル方式の操作スイッチ部や板状の印刷基板に配設した複数のスイッチ手段を前記操作ツマミの同心円上に配設したことを特徴とする請求項１〜１３のいずれか１項に記載の加熱調理装置。
【請求項１５】
前記操作ツマミは直線往復移動し、操作ツマミの移動方向と平行にシート状操作スイッチの複数のキーやタッチパネル方式の操作スイッチ部や板状の印刷基板に配設した複数のスイッチ手段を直線上に配設したことを特徴とする請求項１〜１３のいずれか１項に記載の加熱調理装置。
【請求項１６】
前記パネル本体に設定時間または動作中の残り時間を示す表示手段を備えた請求項１〜１５のいずれか１項に記載の加熱調理装置。
【発明の詳細な説明】
【０００１】
【発明の属する技術分野】
本発明は加熱調理装置に関するもので、特に機能や動作を選択操作し、或いは調理時間などを設定する加熱調理装置のコントロールパネルの構造に関するものである。
【０００２】
【従来の技術】
従来、この様な加熱調理装置のコントロールパネルには、一般に機械式と電子式の２通りのものがあり、機械式では例えば、図７に記載された従来の加熱調理装置のコントロールパネルを示すものであった（例えば、特許文献１参照）。
【０００３】
図７において、１はパネル本体、２、３は操作ツマミ、４はタイマーである。
【０００４】
また、電子式では例えば、図８に記載された従来の加熱調理装置のコントロールパネルを示すものであった（例えば、特許文献２参照）。
【０００５】
図８において、５はエンコーダ、６ａはエンコーダを配設した印刷基板である。
【０００６】
【特許文献１】
特開平１１−３２５４７１号公報
【特許文献２】
特開平５−３２２１７６号公報
【０００７】
【発明が解決しようとする課題】
現在の加熱調理装置は高付加価値化が進み、様々なセンサー等を多用して大抵の調理は自動或いは半自動でできる商品が多くなったものの、操作方法が複雑であるものや、わかり難いものが多いのが実態である。しかし、一部の消費者、特に高齢者を中心にツマミを回すだけや、ツマミをスライドするなどの簡単操作で使える加熱調理器の需要が強くある。
【０００８】
しかしながら、図７に示すようにツマミを操作して使える従来の機械式の加熱調理装置のコントロールパネルはラックとピニオンを使っているものや、ギアを多用しているので操作ツマミ２を操作するのに大きな力が必要で、特に高齢者や女性の弱い力では操作ツマミ２をうまく操作できない課題があった。
【０００９】
さらに、従来の構成はタイマー４にもギアが使われており、製造時の切粉や鉄くずや埃などがギア間に入ることや、長期間の使用によるギアの摩耗によりタイマー４の時間が戻らなくなることがあった。タイマー４の時間が戻らなくなると、設定時間を経過しても加熱が続き、被調理物が過加熱されてしまう課題があった。
【００１０】
また、図８に示すようにツマミを操作して使える従来の電子式の加熱調理装置のコントロールパネルは印刷基板６ａに配設されたエンコーダを使っているため、エンコーダを配設した印刷基板６ａは図９のように制御印刷基板６ｂと半田面が対向する位置関係になり、エンコーダを配設する印刷基板６ａと制御印刷基板６ｂの２枚構成にしなければならなかった。さらに、基板を２枚構成にするにはパネル本体１から基板を支えるボスなど長く突き出さなければならず、しかも制御印刷基板６ｂには低圧トランスなどの重い部品を配設しているので製品輸送時などの落下や振動に対して基板を支えるボスなどの強度を上げる必要があり、構造が複雑になることが多かった。且つ組み立てもそれに応じて複雑で時間がかかってしまう課題があった。
【００１１】
本発明は、前記従来の課題を解決するもので、加熱調理装置の操作ツマミを操作するとシート状操作スイッチ部やタッチパネル方式の操作スイッチ部や板状の印刷基板に配設したスイッチ手段などからマイコンにキー入力信号を送る構成にすることで、操作力の大きさやゴミが噛み込むなどの機械的な課題を排除し、使用上の便宜を図ることを目的としている。
【００１２】
さらに、シート状操作スイッチ部やタッチパネル方式の操作スイッチ部のフラットケーブルなどの薄いシートを経由して入力することで、制御印刷基板が１枚で済み、構造的にシンプルで組み立ても簡単な加熱調理装置にすることを目的とする。
【００１３】
【課題を解決するための手段】
前記従来の課題を解決するために、本発明の加熱調理装置は、機能や動作、調理時間などを入力する操作ツマミと、前記操作ツマミを配設するパネル本体と、前記パネル本体に貼り付けたシート状操作スイッチ部と、前記シート状操作スイッチ部前面に貼り付けた加熱調理装置の機能や動作や調理時間などを表示した化粧シートと、前記シート状操作スイッチ部で入力されたキーの信号に応じて所定の出力信号に変換するマイコンを備え、前記化粧シートの機能や動作や調理時間の表示に前記操作ツマミを合わせると前記化粧シートの後面に配置したシート状操作スイッチ部の規定のキーが入力され、選択した機能や動作や調理時間が前記マイコンにより出力されるようにしたものである。
【００１４】
このように操作ツマミを操作することによってシート状操作スイッチ部のキー入力ができるため、機能や動作の切り替えやタイマーなどにギアは不要となり、ギアを使うことによって発生していたツマミの操作力を軽減でき、さらに切粉や鉄くず、埃などが噛み込んで起こる過加熱を防止することができる。さらにエンコーダを配設した構造に比べてシンプルで、簡単に組み立てることができる。
【００１５】
【発明の実施の形態】
請求項１に記載の発明は、加熱調理装置の機能や動作、調理時間などを入力する操作ツマミと、前記操作ツマミを配設するパネル本体と、前記パネル本体に貼り付けたシート状操作スイッチ部と、前記シート状操作スイッチ部前面に貼り付けた加熱調理装置の機能や動作や調理時間などを表示した化粧シートと、前記シート状操作スイッチ部で入力されたキーの信号に応じて所定の出力信号に変換するマイコンを備え、前記操作ツマミに凸部を設け、前記化粧シートの機能や動作や調理時間の表示に前記操作ツマミを合わせると前記凸部によって前記化粧シートの後面に配置したシート状操作スイッチ部の規定のキーが入力され、選択した機能や動作や調理時間を前記マイコンにより出力する。操作ツマミを操作することによって動作指示や調理時間の設定ができるため、高齢者などにも簡単操作で加熱調理ができるとともに、従来のようにギアを使うことによって大きくなっていた操作ツマミの操作力を軽減することと、ギアに製造時の切粉や鉄くず、埃などのゴミが噛み込むことによる操作不能や過加熱を防止することができる。さらに、シート状操作スイッチ部のフラットケーブルを経由して操作ツマミにより選択された信号を入力するため、エンコーダのような２枚構成の印刷基板ではなく、制御印刷基板が１枚で済み、構造的にシンプルで組み立ても簡単な加熱調理装置にすることができる。
【００１６】
請求項２に記載の発明は、特に、請求項１に記載の加熱調理装置において、操作ツマミの凸部はシート状操作スイッチ部のキーに対向する位置に擬半球状のダボを形成したもので、シート状操作スイッチ部のキーを押しながら操作ツマミを操作しても引っ掛かりなどがなく、軽い力でスムーズに操作ツマミでキー入力することができる。
【００１７】
請求項３に記載の発明は、特に、請求項１に記載の加熱調理装置において、操作ツマミの凸部として回転自在のボールを備え、前記ボールをシート状操作スイッチ部のキーに対向する位置に配置することにより、シート状操作スイッチ部のキーを押しながら操作ツマミを操作しても引っ掛かりなどがなく、軽い力でスムーズに操作ツマミでキー入力することができる。
【００１８】
請求項４に記載の発明は、特に、請求項２および３に記載の加熱調理装置において、操作ツマミに弾性変形部位を設けたもので、擬半球状のダボやボールを弾性力によりシート状操作スイッチ部のキーに押し当てることにより確実にキー入力することができる。
【００１９】
請求項５に記載の発明は、加熱調理装置の機能や動作、調理時間などを入力する操作ツマミと、前記操作ツマミを配設するパネル本体と、前記パネル本体に貼り付けたタッチパネル方式の操作スイッチ部と、前記タッチパネル方式の操作スイッチ部前面に貼り付けた加熱調理装置の機能や動作や調理時間などを表示した化粧シートと、前記タッチパネル方式の操作スイッチ部で入力された信号に応じて所定の出力信号に変換するマイコンを備え、前記化粧シートの機能や動作や調理時間の表示に前記操作ツマミを合わせると前記化粧シートの後面に配置したタッチパネル方式の操作スイッチ部により信号が入力され、選択した機能や動作や調理時間を前記マイコンにより出力する。操作ツマミを操作することによって動作指示や調理時間の設定ができるため、高齢者などにも簡単操作で加熱調理ができるとともに、従来のようにギアを使うことによって大きくなっていた操作ツマミの操作力を軽減することと、ギアに製造時の切粉や鉄くず、埃などのゴミが噛み込むことによる操作不能や過加熱を防止することができる。さらに、タッチパネル方式の操作スイッチ部のフラットケーブルを経由して操作ツマミにより選択された信号を入力するため、エンコーダのような２枚構成の印刷基板ではなく、制御印刷基板が１枚で済み、構造的にシンプルで組み立ても簡単な加熱調理装置にすることができる。また、タッチパネル方式の操作スイッチ部は電気抵抗や電気容量などによって位置検出機能を有しているため、連動調理におけるヒーターなどの電熱加熱と電子レンジの高周波加熱の比率や、オーブン調理の温度設定、さらに電子レンジ調理の際に赤外線センサーなどで監視して被調理物の仕上がり温度を設定するなどのように、連続的に変化させることができ、使用者が適宜好みの動作を選択できる。
【００２０】
請求項６に記載の発明は、特に、請求項５に記載の加熱調理装置において、操作ツマミの凸部はタッチパネル方式の操作スイッチ部の信号入力部に対向する位置に擬半球状のダボを形成したもので、タッチパネル方式の操作スイッチ部の信号入力部を押しながら操作ツマミを操作しても引っ掛かりなどがなく、軽い力でスムーズに操作ツマミでキー入力することができる。
【００２１】
請求項７に記載の発明は、特に、請求項５に記載の加熱調理装置において、操作ツマミの凸部として回転自在のボールを備え、前記ボールをタッチパネル方式の操作スイッチ部に対向する位置に配置することにより、タッチパネル方式の操作スイッチ部を押しながら操作ツマミを操作しても引っ掛かりなどがなく、軽い力でスムーズに操作ツマミでキー入力することができる。
【００２２】
請求項８に記載の発明は、特に、請求項６および７に記載の加熱調理装置において、操作ツマミに弾性変形部位を設けたもので、擬半球状のダボやボールを弾性力によりタッチパネル方式の操作スイッチ部に押し当てることにより確実にキー入力することができる。
【００２３】
請求項９に記載の発明は、板状の印刷基板に配設したスイッチ手段と、前記スイッチ手段に対向する位置にラーメン構造を備えたパネル本体と、パネル本体に配設した調理モードや加熱条件を選択操作する操作ツマミと、前記パネル本体前面に配置し化粧シートと、前記スイッチ手段でキー入力された信号に応じて所定の出力信号に変換するマイコンを備え、前記操作ツマミに凸部を設け、その凸部によって前記パネル本体のラーメン構造を経由して前記スイッチ手段が押され、そのキー信号が入力され、選択した動作が前記マイコンにより出力する。操作ツマミを操作することによって動作指示や調理時間の設定ができるため、高齢者などにも簡単操作で加熱調理ができるとともに、従来のようにギアを使うことによって大きくなっていた操作ツマミの操作力を軽減することと、ギアに製造時の切粉や鉄くず、埃などのゴミが噛み込むことによる操作不能や過加熱を防止することができる。
【００２４】
請求項１０に記載の発明は、特に、請求項９に記載の加熱調理装置において、操作ツマミの凸部はスイッチ手段の接点に対向する位置に擬半球状のダボを形成したもので、スイッチ手段の接点を押しながら操作ツマミを操作しても引っ掛かりなどがなく、軽い力でスムーズに操作ツマミでキー入力することができる。
【００２５】
請求項１１に記載の発明は、特に、請求項９に記載の加熱調理装置において、操作ツマミの凸部として回転自在のボールを備え、前記ボールをスイッチ手段の接点に対向する位置に配置することにより、スイッチ手段の接点を押しながら操作ツマミを操作しても引っ掛かりなどがなく、軽い力でスムーズに操作ツマミでキー入力することができる。
【００２６】
請求項１２に記載の発明は、特に、請求項１０および１１に記載の加熱調理装置において、操作ツマミに弾性変形部位を設けたもので、擬半球状のダボやボールを弾性力によりスイッチ手段の接点に押し当てることにより確実にキー入力することができる。
【００２７】
請求項１３に記載の発明は、特に、請求項１から１２に記載の加熱調理装置において、化粧シートに表示した機能や動作、調理時間に操作ツマミが合うようにパネル本体の裏面に操作ツマミを誘導する溝を設けることにより操作時に使用者にクリック感を与える構成とした。これによって、使用者は感覚的にも操作ツマミをより目的の機能や動作や調理時間に合わせることが容易になる。
【００２８】
請求項１４に記載の発明は、特に、請求項１から１３に記載の加熱調理装置において、シート状操作スイッチ部の複数のキーやタッチパネル方式のスイッチ部や板状の印刷基板に配設したスイッチ手段の複数の接点を前記操作ツマミの同心円上に配設したものである。つまり、ダイヤルのように操作ツマミを回転することによって加熱調理装置の機能や動作や調理時間を入力するもので、使用者が容易に使用方法を理解できる。
【００２９】
請求項１５に記載の発明は、特に、請求項１から１３に記載の加熱調理装置において、操作ツマミは直線往復移動し、操作ツマミの移動方向と平行にシート状操作スイッチ部の複数のキーやタッチパネル方式の操作スイッチ部や板状の印刷基板に配設したスイッチ手段の複数の接点を直線上に配設したものである。つまり、操作ツマミをスライドさせて加熱調理装置の機能や動作や調理時間を入力するもので、使用者が容易に使用方法を理解できる。
【００３０】
請求項１６に記載の発明は、特に、請求項１から１５に記載の加熱調理装置において、パネル本体に設定時間または動作中の残り時間を示す表示手段を備えたもので、操作ツマミによって設定した時間や残り時間を確認することができるため、時間設定のミスを防止できる。
【００３１】
【実施例】
以下本発明の実施例について、図面を参照しながら説明する。
【００３２】
（実施例１）
図１および図２は、本発明の第１の実施例を示すものである。
【００３３】
図１において、１はパネル本体で、２および３はパネル本体１に回転自在に取り付けられた操作ツマミである。パネル本体１の前面にはシート状操作スイッチ部８が貼り付けられており、そのさらに前面に化粧シート７が貼り付けられ、化粧シート７は加熱調理装置の機能や動作を操作ツマミ２の同心円上に表示し、調理時間などを操作ツマミ３の同心円上に表示した構成とした。図２は本実施例の断面を示したもので、８はシート状操作スイッチ部で、８ａはシート状操作スイッチ部８のキーの電極である。操作ツマミ２および３には、シート状操作スイッチ部８のキーに対向する位置に擬半球状のダボ２ａが形成された構成になっている。
【００３４】
まず、使用者は加熱調理装置の操作ツマミ２を回転して化粧シート７に表示された機能や動作の表示に操作ツマミ２を合わせる。操作ツマミ２に形成されたダボ２ａは化粧シート７を経由してシート状操作スイッチ部８のキー電極８ａを接触させ、キー入力をおこなう。キー入力された信号は制御印刷基板に配設されたマイコンに伝えられ、使用者が操作ツマミ２を回して選択した機能や動作をマイコンにより出力する。次に使用者は適宜加熱調理装置の操作ツマミ３を回転して化粧シート７に表示された調理時間に操作ツマミ３を合わせ、スタートボタンを押すなどして調理を開始する。
【００３５】
このように、操作ツマミ２と３を回転操作するだけで動作指示できるため、高齢者などの使用者にも容易に使用方法を理解でき、簡単に加熱調理ができるとともに、構造上ギアを必要としないため、ギアに製造時の切粉や鉄くず、埃などのゴミが噛み込むことによる操作不能や被調理物の過加熱を防止することができる。また、シート状操作スイッチ部８のフラットケーブルを経由して操作ツマミ２と３により選択された信号をマイコンに入力するため、エンコーダのような２枚構成の印刷基板ではなく、制御印刷基板が１枚で済み、構造的にシンプルで且つ組み立ても簡単な加熱調理装置にすることができる。さらに、本実施例では操作ツマミ２と３のシート状操作スイッチ部８のキーに対向する位置に擬半球状のダボ２ａを形成しているため、シート状操作スイッチ部８のキーを押しながら操作ツマミ２や３を操作しても引っ掛かりなどがなく、高齢者などの弱い力でもスムーズに操作ツマミ２や３でキー入力することができる。
【００３６】
（実施例２）
図３および図４は、本発明の第２の実施例を示すものである。
【００３７】
図３において、図１との相違点はタッチパネル方式のスイッチ部（図示せず）により信号入力するものであり、操作ツマミ２は直線往復移動できる構造とし、パネル本体１には操作ツマミ３によって入力された時間や調理の残り時間を表示する表示手段９を備える構成とした。
【００３８】
図４において、図２との相違点はタッチパネル方式のスイッチ部により信号入力するものであり、１０がタッチパネル方式のスイッチ部である。操作ツマミ２とタッチパネル方式のスイッチ部１０の間、および操作ツマミ３とタッチパネル方式のスイッチ部１０の間には回転自在のボール１１を備え、タッチパネル方式のスイッチ部１０に対向する位置に配置した構成になっている。なお、実施例１と同一符号のものは同一構造または同一機能を有し、説明は省略する。
【００３９】
まず、使用者は加熱調理装置の操作ツマミ２を直線移動して化粧シート７に表示された機能や動作の表示に操作ツマミ２を合わせる。操作ツマミ２とタッチパネル方式のスイッチ部１０の間に配置されたボール１１はタッチパネル方式のスイッチ部１０から信号入力をおこなう。入力された信号は制御印刷基板に配設されたマイコンに伝えられ、使用者が操作ツマミ２により選択した機能や動作をマイコンにより出力する。次に、使用者は適宜加熱調理装置の操作ツマミ３を回転して化粧シート７に表示された調理時間に操作ツマミ３を合わせ、パネル本体１の表示手段９を確認し、スタートボタンを押すなどして調理を開始する。
【００４０】
このように、操作ツマミ２と３を操作するだけで動作指示でき、表示手段９により時間の確認もできるため、高齢者などの使用者にも容易に使用方法を理解でき、簡単に加熱調理ができるとともに、構造上ギアを必要としないため、ギアに製造時の切粉や鉄くず、埃などのゴミが噛み込むことによる操作不能や被調理物の過加熱を防止することができる。また、タッチパネル方式の操作スイッチ部１０のフラットケーブルを経由して操作ツマミ２と３により選択された信号をマイコンに入力するため、エンコーダのような２枚構成の印刷基板ではなく、制御印刷基板が１枚で済み、構造的にシンプルで且つ組み立ても簡単な加熱調理装置にすることができる。さらに、本実施例では操作ツマミ２とタッチパネル方式の操作スイッチ部１０の間、および操作ツマミ３とタッチパネル方式の操作スイッチ部１０の間に回転自在のボール１１を配置しているため、タッチパネル方式の操作スイッチ部１０を押しながら操作ツマミ２や３を操作しても引っ掛かりなどがなく、高齢者などの弱い力でもスムーズにキー入力することができる。また、タッチパネル方式の操作スイッチ部１０は電気抵抗や電気容量などによって位置検出機能を有しているため、連動調理におけるヒーターなどの電熱加熱と電子レンジの高周波加熱の比率や、調理時間、オーブン調理の温度設定、さらに電子レンジ調理の際に赤外線センサーなどで監視して被調理物の仕上がり温度を設定するなどのように、連続的に変化させることができ、使用者が適宜好みの動作や時間を選択できる。
【００４１】
（実施例３）
図５は、本発明の第３の実施例を示すものである。
【００４２】
図５において、１２は板状の印刷基板６ａに配設されたスイッチ手段で、スイッチ手段１２に対向するパネル本体１にラーメン構造１ａを備え、スイッチ手段１２により信号入力する構成とした。なお、実施例１或いは実施例２と同一符号のものは同一構造または同一機能を有し、説明は省略する。
【００４３】
まず、化粧シート７に表示された機能や動作の表示に操作ツマミ２を合わせるとパネル本体１に設けたラーメン構造１ａが変位し、スイッチ手段１２の接点が押される。スイッチ手段１２によって入力された信号は制御印刷基板に配設されたマイコンに伝えられ、使用者が操作ツマミ２で選択した機能や動作をマイコンにより出力する。同様に操作ツマミ３を操作し、スタートボタンを押すなどして調理を開始する。
【００４４】
このように、操作ツマミ２と３を操作するだけで動作指示できるため、高齢者などの使用者にも容易に使用方法を理解でき、簡単に加熱調理ができるとともに、構造上ギアを必要としないため、ギアに製造時の切粉や鉄くず、埃などのゴミが噛み込むことによる操作不能や被調理物の過加熱を防止することができる。また、本実施例ではスイッチ手段１２を用いているため、使用者に操作ツマミ２や３を操作する際にクリック感を与えることができ、操作感の向上を図ることができる。
【００４５】
（実施例４）
図６は、本発明の第４の実施例を示すものである。
【００４６】
図６において、１ｂはパネル本体１の裏面に設けた誘導溝で、１３はボール１１を誘導溝１ｂに押し当てる押さえで、誘導溝１ｂの溝幅は化粧シート７の表示に操作ツマミ２や３を合わせるとクリック感が得られるように形成された構造にした。
【００４７】
このように、パネル本体１の裏面に誘導溝１ｂを設けることにより、操作ツマミ２や３を操作する際にクリック感を与えることができるため、シート状操作スイッチ部やタッチパネル方式の操作スイッチ部によりキー入力しても操作感の向上を図ることができる。
【００４８】
【発明の効果】
以上のように、請求項１から１６に記載の発明によれば、操作ツマミを操作することによって加熱調理装置を動作させることができるため、高齢者などにも操作方法が容易に理解でき、従来のようにギアを使うことによって大きくなっていた操作ツマミの操作力を軽減することができると同時にギアにゴミが噛み込むことによる操作不能やタイマーが戻らなくなると発生する被調理物の過加熱を防ぐことができる。
【００４９】
さらに、信号入力をシート状操作スイッチ部やタッチパネル方式の操作スイッチ部により行うため、エンコーダのような２枚構成の印刷基板ではなく制御印刷基板が１枚で済み、構造的にシンプルで組み立ても簡単な加熱調理装置にすることができる。
【図面の簡単な説明】
【図１】本発明の実施例１における加熱調理装置のコントロールパネルの分解斜視図
【図２】本発明の実施例１における要部断面図
【図３】本発明の実施例２における加熱調理装置のコントロールパネルの要部正面図
【図４】本発明の実施例２における要部断面図
【図５】本発明の実施例３における加熱調理装置のコントロールパネルの分解斜視図
【図６】本発明の実施例４における加熱調理装置のコントロールパネルの裏面分解斜視図
【図７】従来の加熱調理装置の機械式コントロールパネルの分解斜視図
【図８】従来の加熱調理装置の電子式コントロールパネルの要部断面図
【図９】従来の加熱調理装置の電子式コントロールパネルの分解斜視図
【符号の説明】
１  パネル本体
１ａ  ラーメン構造
１ｂ  誘導溝
２  操作ツマミ
２ａ  ダボ
３  操作ツマミ
４  タイマー
５  エンコーダ
６ａ  印刷基板
６ｂ  制御印刷基板
７  化粧シート
８  シート状操作スイッチ部
８ａ  電極
９  表示手段
１０  タッチパネル方式の操作スイッチ部
１１  ボール
１２  スイッチ手段
１３  押さえ
【図１】
2004278922.tif 000003
【図２】
2004278922.tif 000004
【図３】
2004278922.tif 000005
【図４】
2004278922.tif 000006
【図５】
2004278922.tif 000007
【図６】
2004278922.tif 000008
【図７】
2004278922.tif 000009
【図８】
2004278922.tif 000010
【図９】
2004278922.tif 000011